(57)【要約】【課題】室内のエア中の花粉を効率よく除去できる花粉低減装置を提供する。【解決手段】花粉センサ３２が室１内のエア中の花粉を検出すると、制御装置３５は空調ユニット１２の送風機２２と排気ファン４６を駆動し、室１内への清浄エアおよび排気エアの給排気を行う。花粉センサ３２によって検出された室１内のエア中の花粉量が多い場合には、制御装置３５は送風機２２および排気ファン４６の回転数を高くし、室１内への清浄エアおよび排気エアの給排気量を増大する。また、スリット状の吸込口を備えたライン排気口４４は室１の床４２の隅部に沿うように配置されているので、床４２の隅部に溜まった花粉を室１内から速やかに吸引除去できる。【選択図】　　図２
2004116981.tif 000002
【特許請求の範囲】
【請求項１】
室内に清浄エアを供給するとともに、該室内のエアを排気する空気清浄機と、
前記室内のエア中の花粉量を測定する花粉センサと、
該花粉センサによって測定された花粉量に応じて前記空気清浄機を作動させ、前記室内への清浄エア供給量および、前記室内からの排気エア排気量を制御する給排気量制御手段と、を備えたことを特徴とする花粉低減装置。
【請求項２】
前記空気清浄機の排気口は、前記室の床の隅部または前記室の壁の床側隅部に配置されていることを特徴とする請求項１に記載された花粉低減装置。
【請求項３】
前記室の入口には、身体に付着した花粉を除去するエアシャワー設備を備えた清浄ブースが設けられていることを特徴とする請求項１または請求項２に記載された花粉低減装置。
【請求項４】
花粉の種類を判別するための花粉判別装置が備えられるとともに、
該花粉判別装置によって特定の花粉が検出された時にのみ、前記給排気量制御手段は空気清浄機を作動させることを特徴とする請求項１乃至は請求項３のいずれかに記載された花粉低減装置。
【発明の詳細な説明】
【０００１】
【発明の属する技術分野】
本発明は花粉低減装置に係り、特に一般建物の居室に於いて、居室内の花粉を低減する花粉低減装置に関する。
【０００２】
【従来の技術】
一般建物の居室においては、エア中に花粉が飛散しており、花粉症の人にとっては安心できない場所となっている。この花粉は、その大部分が衣服などの身体に付着するなどして居室外部から持ち込まれるものである。
【０００３】
従来、これら花粉は、花粉を除去する空気清浄機を室内に設置することで、その除去が行なわれていた（例えば特許文献１参照）。
【０００４】
【特許文献１】
特開平１１−１６６７５４
【０００５】
【発明が解決しようとする課題】
しかし、このような空気清浄機では、花粉除去の効率が悪いという欠点があった。
【０００６】
また、花粉症で最も問題となっているスギ花粉やヒノキ花粉を例とすると、その径は３０〜３５μｍ程度の大きさで、その比重は１．２〜１．５程度であり、床に近いほどその数が多くなる。これら花粉は人が周辺を歩くことにより舞い上がり、徐々に床の隅部に溜まっていく。このような床の隅部に溜まった花粉は、従来の空気清浄機では除去が困難であった。
【０００７】
本発明はこのような事情に鑑みてなされたもので、室内のエア中の花粉を効率よく除去できる花粉低減装置を提供することを目的としている。
【０００８】
【課題を解決するための手段】
上記目的を達成するために請求項１に記載の発明は、室内に清浄エアを供給するとともに、該室内のエアを排気する空気清浄機と、前記室内のエア中の花粉量を測定する花粉センサと、該花粉センサによって測定された花粉量に応じて前記空気清浄機を作動させ、前記室内への清浄エア供給量および、前記室内からの排気エア排気量を制御する給排気量制御手段と、を備えたことを特徴としている。
【０００９】
請求項１に記載の発明によれば、花粉センサによって測定された花粉量に応じて空気清浄機の給排気量が制御され、室内のエア中の花粉量が多い場合には清浄エアと排気エアの給排気量を増大させ、効率の良い花粉の除去を実現できる。
【００１０】
また、請求項２に記載の発明によれば、空気清浄機の排気口が、室の床の隅部または室の壁の床側隅部に配置されているので、床の隅部に溜まった花粉も速やかに除去できる。
【００１１】
さらに、請求項３に記載の発明によれば、エアシャワー設備によって、入室前に身体に付着した花粉を除去するので、室内への花粉の持ち込みを抑制できる。
【００１２】
請求項４に記載の発明によれば、花粉判別装置によって特定の花粉が検出された時にのみ給排気量制御手段は空気清浄機を作動するので、空気清浄機の効率的な運転ができる。
【００１３】
【発明の実施の形態】
以下、添付図面に従って、本発明に係る花粉低減装置の好ましい実施の形態について詳説する。図１は、本発明に係る花粉低減装置の第１の実施の形態を示す構成図である。
【００１４】
室１の天井６には、エア供給ダクト１６に接続された吹出口パネル１０が設置されている。この吹出口パネル１０からは、エア供給ダクト１６を介して清浄エアが室１に供給される。
【００１５】
エア供給ダクト１６には、空気調和の機能と空気清浄機としての機能を備えた空調ユニット１２が接続されている。この空調ユニット１２は、外部から取り込んだエア（ＯＡ）を空調してエア供給ダクト１６に送気するもので、その内部にフィルタ１８、温度調整コイル２０、送風機２２などを備えている。
【００１６】
フィルタ１８は、外部から空調ユニット１２に取り込まれたエアを濾過し、花粉、塵埃などを除去する。このフィルタ１８としては、たとえば塵埃の捕集効率が比色法で３０〜４０％程度の粗塵フィルタや、６０％程度の中性能フィルタが用いられる。
【００１７】
温度調整コイル２０は、フィルタ１８によって濾過されたエアを所定の温度に維持する。また、送風機２２は、温度調整コイル２０によって空調されたエアをエア供給ダクト１６に送気する。
【００１８】
このような構成によって、送風機２２を駆動することで外部からのエアが空調ユニット１２内部に吸引される。吸引されたエアはフィルタ１８によって濾過された後、温度調整コイル２０にて所定の温度に維持されて、エア供給ダクト１６に清浄エアとして送気される。これにより吹出口パネル１０から室１内に清浄エアが吹き出される（矢印Ａ）。
【００１９】
室１の天井６には、エア排気ダクト２４に接続された排気口パネル１１が設置され、エア排気ダクト２４には排気ファン１４が接続されている。
【００２０】
排気ファン１４を駆動すると、エア排気ダクト２４内のエアが減圧され、室１内のエアが排気口パネル１１を介して吸引された後（矢印Ｂ）、排気エアとして室１外部に放出される（矢印Ｃ）。
【００２１】
花粉センサ３２の吸引チューブ３０が室内に設けられている。この花粉センサ３２は、たとえば半導体レーザーをエア中の塵埃に照射して前方散乱及び側方散乱を検知し、花粉と繊維状ダストなどとの判別を行って花粉量を瞬時に測定する。花粉センサ３２の吸引チューブ３０先端の吸込口３１から室１内のエアが吸引され、花粉センサ３２にて室１内のエア中の花粉量を測定する。
【００２２】
なお、吸引チューブ３０の吸込口３１の高さを床４２から１５００ｍｍ程度の人の口とほぼ同じ高さとすれば、人が吸引する空気と類似のレベルでエア中の花粉を検出することができる。
【００２３】
制御装置３５は花粉センサ３２と配線３３を介して接続されており、花粉センサ３２による花粉量の検出結果が制御装置３５に出力される。また、制御装置３５と送風機２２および排気ファン１４とは、配線３４，３６を介して夫々接続されており、花粉センサ３２による花粉量の検出結果に基づいて、制御装置３５によって送風機２２や排気ファン１４の回転数が制御される。
【００２４】
前記の如く構成された花粉低減装置の作用を説明する。
【００２５】
花粉センサ３２に内蔵されたエア導入ファンが駆動されると、室１内のエアが吸引チューブ３０を介して花粉センサ３２内部まで吸引され、花粉量の検出が行われる。検出された花粉量が多く、花粉センサ３２によって測定された花粉量が予め設定された花粉数基準値を超えた場合には、制御装置３５によって送風機２２および排気ファン１４の回転数を高くし、室１内への清浄エアおよび排気エアの給排気量を増大させる。一方、検出された花粉量が少なく、花粉センサ３２によって測定された花粉量が花粉数基準値を超えない程度の場合には、制御装置３５によって送風機２２や排気ファン１４の回転数を通常運転になるように制御し、室１内への清浄エアおよび排気エアの給排気量を少なくする。このように、室１内のエア中の花粉量に応じて空調ユニット１２の給排気量を制御するので、効率的に花粉を除去できる。
【００２６】
次に、図２には、本発明に係る花粉低減装置の第２の実施の形態を示す。
【００２７】
室１の床４２には、エア排気ダクト４３に接続されたライン排気口４４，４４…が室１の床４２の隅部に配置されている。このライン排気口４４はスリット状の吸込口を備えており、エア排気ダクト４３内のエアが減圧されると、室１内のエアがライン排気口４４に急速に吸引される（矢印Ｄ）。
【００２８】
エア排気ダクト４３には、制御装置３５と配線３７を介して接続された排気ファン４６が設けられ、排気ファン４６を駆動することで、エア排気ダクト４３内のエアが室１外部に排気される（矢印Ｅ）。
【００２９】
前記の如く構成された花粉低減装置の作用を説明する。
【００３０】
花粉センサ３２によって検出された花粉量によって制御装置３５は室１内への清浄エアおよび排気エアの給排気量を制御する。
【００３１】
さらに、スリット状の吸込口を備えたライン排気口４４を室１の床４２の隅部に配置しているので、床４２の隅部に溜まった花粉を室１内から速やかに吸引除去できる。
【００３２】
次に、図３には本発明に係る花粉低減装置の第３の実施の形態を示す。本実施の形態では、室１の壁５２，５２…の床４２側の隅部にライン排気口５４，５４…が配置されている。このライン排気口５４，５４…もスリット状の吸込口を備え、排気ファン５８を備えたエア排気ダクト５６に接続されている。排気ファン５８を駆動させてエア排気ダクト５６内のエアを減圧させると、室１内のエアがライン排気口５４を介して吸引され（矢印Ｆ）、排気ファン５８によって排気エアとして室１外部に放出される（矢印Ｇ）。
【００３３】
ここで、同図に示す花粉センサ６８には、花粉の種類を判別するための不図示の花粉判別装置が内蔵されている。この花粉判別装置は、たとえば花粉にレーザー光を照射し、得られた光回折パターンを立体写真にて撮影し、その立体写真と同じ形の光回折パターンを識別する識別フィルタによって複数の花粉を瞬時に判別可能なものである。花粉判別装置によって検出された花粉の判別結果は制御装置３５に出力される。制御装置３５では、たとえばスギ花粉やヒノキ花粉などの花粉症の発病の可能性が高い花粉が花粉判別装置によって検出された場合にのみ、空調ユニット１２の送風機２２および排気ファン５８を作動させる。一方、花粉判別装置によって花粉症の発病の可能性が低い花粉のみしか検出されない場合には、空調ユニット１２および排気ファン５８は運転が休止される。
【００３４】
前記の如く構成された花粉低減装置の作用を説明する。
【００３５】
花粉センサ６８によって、吸引チューブ３０を介して取り込まれた室１内のエア中の花粉量が検出され、花粉症の発病の可能性が高い特定の花粉が花粉判別装置によって検出された場合にのみ、制御装置３５によって送風機２２および排気ファン５８が駆動される。これにより、空調ユニット１２や排気ファン５８の不必要な運転を防止できる。また、この際に検出された花粉量によって制御装置３５は室１内への清浄エアおよび排気エアの給排気量を制御する。
【００３６】
さらに、スリット状の吸込口を備えたライン排気口５４，５４…が室１の壁５２の床４２側の隅部に配置されているので、床４２の隅部に溜まった花粉を室１内から速やかに吸引除去できる。
【００３７】
さらに、図４には、本発明に係る花粉低減装置の第４の実施の形態を示す。
【００３８】
本実施の形態では、室１への入口３８に清浄ブース７０が設けられている。この清浄ブース７０は、清浄ブース７０の天井に設けられて清浄エアを清浄ブース７０内に吹き出させるエアシャワー装置７２と、清浄ブース７０の床に設けられて清浄ブース７０内のエアを吸引するエア排気装置７４とを備えている。
【００３９】
前記の如く構成された花粉低減装置の作用を説明する。
【００４０】
室１に人が入室する場合には、この清浄ブース７０より入室する。エアシャワー装置７２を駆動させると、衣服などに付着した花粉が清浄エアによって吹き飛ばされ、この花粉を含むエアがエア排気装置７４によって吸引除去される。これにより、入室者の身体に付着した花粉が除去され、室１内への花粉の持ち込みを抑制できる。
【００４１】
なお、本実施の形態では、エア排気ダクト４３と空調ユニット１２とが、リターンエアダクト６２を介して接続されており、エア排気ダクト４３によって送気されるエアの一部をリターンエアダクト６２を介して空調ユニット１２に戻す構成としている。リターンエアダクト６２には外気ダクト６３が接続され、戻されたエアに外気エア（ＯＡ）が混合される。
【００４２】
本実施の形態によれば、入室者からの室１内への花粉の持ち込みを抑制できるとともに、外気に比べて温調されて清浄な室内空気の一部を空調ユニット１２に戻すようにしたので、空調負荷の低減と空調ユニット１２におけるフィルタ負荷の低減を図ることができる。
【００４３】
上記各実施形態では、空気清浄機として空気調和の機能をも兼ね備えた空調ユニット１２を用いた場合について説明した。しかしながら、本発明はこれに限らず、空気清浄機を、空気調和の機能を切り離した独立の構成としてもよい。すなわち、居室に対しては空気調和と本発明の花粉低減装置がそれぞれ別系統で独立して運転される。この場合、本発明に係る空気清浄機は当然に空気調和の機能を具備する必要はない。したがって、本発明に係る空気清浄機は空調された居室内の一画に据置式に配置され、エアダクトなどを用いずに室内の空気を吸い込んで（排気して）、この吸い込んだ空気を清浄化手段にて処理し、得られた清浄エアを再び室内に戻すようにした構成のものであってもよい。
【００４４】
また、空気清浄機の清浄化手段はフィルタに限らず、たとえば静電分離式のものであってもよい。
【００４５】
【発明の効果】
以上、説明したように本発明に係る花粉低減装置によれば、花粉センサによって測定される花粉量に応じて空気清浄機の給排気量が制御される。したがって、室内のエア中の花粉を効率よく除去することができる。また、排気口を床の隅部や壁の床側隅部に配置するようにしたので、床の隅部にたまった花粉を室内から速やかに吸引除去できる。また、室入口にエアシャワー設備を配置するようにしたので、入室者からの室内の花粉の持ち込みを抑制できる。
【図面の簡単な説明】
【図１】本発明に係る花粉低減装置の第１の実施の形態を示した構成図
【図２】本発明に係る花粉低減装置の第２の実施の形態を示した構成図
【図３】本発明に係る花粉低減装置の第３の実施の形態を示した構成図
【図４】本発明に係る花粉低減装置の第４の実施の形態を示した構成図
【符号の説明】
１…室、１０…吹出口パネル、１１…排気口パネル、１２…空調ユニット、３２，６８…花粉センサ、３５…制御装置、４２…床、４４，５４…ライン排気口、５２…壁、７０…清浄ブース、７２…エアシャワー装置、７４…エア排気装置
【図１】
2004116981.tif 000003
【図２】
2004116981.tif 000004
【図３】
2004116981.tif 000005
【図４】
2004116981.tif 000006